(57)【要約】      （修正有）【課題】よりコンパクトに折り畳むことができより収納性及び携帯性に優れると共に、使用する際にはより簡便に使用ができる折り畳み式ルーペを提供する。【解決手段】第一フレーム部１１と、使用時には、上記第一フレーム部１１から離間した状態で静止しうるように上記第一フレーム部に回動可能に固定されると共に、非使用時には、上記第一フレーム部に接合しうる第二フレーム部１２とを備え、上記第二フレーム部１２に回動可能に固定され、非使用時に上記第一フレーム部及び上記第二フレーム部が接合した場合には、上記第一フレーム部及び第二フレーム部内に収納されると共に、使用時には上記第二フレーム部から離間した状態に静止させうる第一レンズ部及び第二レンズ部を有している。【選択図】図２
0003161163.tif 000002
【実用新案登録請求の範囲】
【請求項１】
第一フレーム部と、使用時には、上記第一フレーム部から離間した状態で静止しうるように上記第一フレーム部に回動可能に固定されると共に、非使用時には、上記第一フレーム部に接合しうる第二フレーム部とを備え、
上記第二フレーム部に回動可能に固定され、非使用時に上記第一フレーム部及び上記第二フレーム部が接合した場合には、上記第一フレーム部及び第二フレーム部内に収納されると共に、使用時には上記第二フレーム部から離間した状態に静止させうる第一レンズ部及び第二レンズ部を有していることを特徴とする折り畳み式ルーペ。
【請求項２】
上記第一フレーム部、上記第二フレーム部はリング状に形成されると共に、上記第一レンズ部及び上記第二レンズ部は、いずれも平面円形に形成され、上記第一フレーム部及び第二フレーム部は、上記第一レンズ部及び第二レンズ部を収納しうる収納部を有し、上記第二フレーム部は上記第一フレーム部の周縁部に設けられた第一ヒンジ部を介して第一フレーム部に回動可能に固定されていることを特徴とする請求項１記載の折り畳み式ルーペ。
【請求項３】
上記第一レンズ部及び上記第二レンズ部は、第二フレーム部の上記第一ヒンジ部に径方向において対向する部位に設けられた第二ヒンジ部により上記第二のフレーム部に固定されていることを特徴とする請求項２記載の折り畳み式ルーペ。
【請求項４】
上記第一フレーム部及び第二フレーム部は同一径寸法に形成されると共に、上記第一レンズ部及び上記第二レンズ部は同一径寸法に形成されていることを特徴とする請求項３記載の折り畳み式ルーペ。
【請求項５】
上記第一レンズ及び上記第二レンズ部は、互いに接合した状態で上記第二フレーム部から離間した状態で静止できるように固定されていると共に、上記第二レンズ部を上記第二フレーム部内に収納し、第一レンズ部のみを上記第二フレーム部から離間した状態で静止させうるように構成されていることを特徴とする請求項４記載の折り畳み式ルーペ。  
【考案の詳細な説明】
【技術分野】
【０００１】
本考案は、折り畳み式ルーペの改良に関する。
【背景技術】
【０００２】
従来より、折り畳み式ルーペが提案されている。このような従来の折り畳み式ルーペは、折り畳み式の支柱と、上記支柱部の上端部に回動可能に固定された接眼レンズと、上記支柱の下端部に回動可能に接合された台座部と、上記支柱部に着脱可能に装着される対物レンズとにより構成されている（特許文献１）。
【０００３】
しかしながら、このような従来の折り畳み式ルーペにあっては、持ち運ぶ際には、支柱を折り畳むと共に上記接眼レンズ部及び台座部を折り畳むことにより、コンパクトに収納することができるが、上記対物レンズは取り外して別個に保持する必要があり、また、支柱部を使用していることから、折り畳んだ場合にもレンズ部の形状とは異なることから、収納性、搬送性の点で不都合な場合がある、という不具合を有していた。
【特許文献１】実用新案登録第３１４７０５８号
【考案の開示】
【考案が解決しようとする課題】
【０００４】
本考案の課題は、よりコンパクトに折り畳むことができより収納性及び携帯性に優れると共に、使用する際にはより簡便に使用ができる折り畳み式ルーペを提供することにある。
【課題を解決するための手段】
【０００５】
上記課題を解決するため、請求項１記載の考案にあっては、第一フレーム部と、使用時には、上記第一フレーム部から離間した状態で静止しうるように上記第一フレーム部に回動可能に固定されると共に、非使用時には、上記第一フレーム部に接合しうる第二フレーム部とを備え、上記第二フレーム部に回動可能に固定され、非使用時に上記第一フレーム部及び上記第二フレーム部が接合した場合には、上記第一フレーム部及び第二フレーム部内に収納されると共に、使用時には上記第二フレーム部から離間した状態に静止させうる第一レンズ部及び第二レンズ部を有していることを特徴とする。
【０００６】
従って、請求項１記載の考案にあっては、使用時にあっては、上記第一フレーム部を机等の載置面上に置き、上記第二フレーム部を回動させて上記第一フレーム部から離間した状態で固定することにより、上記第二フレーム部を第一フレーム部上に立設し、上記第一レンズ部及び第二レンズ部を上記第二フレーム部から離間した状態位置に静止させることにより、展開状態でルーペとして使用することができる。
【０００７】
また、非使用時には、上記第一レンズ部及び第二レンズ部を回動させて上記第二フレーム部に接合させた状態で、第二フレーム部を回動させ第一フレーム部と接合させることにより収納状態にすることができる
【０００８】
請求項２記載の考案にあっては、上記第一フレーム部及び上記第二フレーム部はリング状に形成されると共に、、上記第一レンズ部及び上記第二レンズ部は、いずれも平面円形に形成され、上記第一フレーム部及び第二フレーム部は、上記第一レンズ部及び第二レンズ部を収納しうる収納部を有し、上記第二フレーム部は上記第一フレーム部の周縁部に設けられた第一ヒンジ部を介して第一フレーム部に回動可能に固定されていることを特徴とする。
【０００９】
従って、請求項２記載の考案にあっては、折り畳み時には、上記第一レンズ部及び第二レンズ部は上記リング状に形成された第一フレーム部及び第二フレーム部の収納部内に収納される。
【００１０】
請求項３記載の考案にあっては、上記第一レンズ部及び上記第二レンズ部は、上記第一のヒンジ部に径方向において対向する部位に設けられた第二ヒンジ部により上記第二フレーム部に固定されていることを特徴とする。
従って、上記第一フレーム部を台座部とし、第二フレーム部を回動させて上記第一フレーム部から離間させて第一フレーム部上に立設させた場合には、上記第二ヒンジ部は第二フレーム部の上端部に配置される。従って、上記第一レンズ部及び第二レンズ部を上記第二フレーム部の上端部において第二フレームから離間させて静止させた状態で、被観察物を拡大して見るための接眼レンズとすることができる。
【００１１】
請求項４記載の考案にあっては、上記第一フレーム部及び第二フレーム部は同一径寸法に形成されると共に、上記第一レンズ部及び上記第二レンズ部は同一径寸法に形成されていることを特徴とする。
【００１２】
請求項５記載の考案にあっては、上記第一レンズ部及び上記第二レンズ部は、互いに接合した状態で上記第二フレーム部から離間した状態で静止できるように固定されていると共に、上記第二レンズ部を上記第二フレーム部内に収納し、第一レンズ部のみを上記第二フレーム部から離間させて静止させうるように構成されていることを特徴とする。
【００１３】
従って、請求項５記載の考案にあっては、上記第一レンズ部のみで観察対象物を観ることもでき、また、上記第一レンズ部と上記第二レンズ部を重ねた状態で観察対象物を観ることもできる。
【考案の効果】
【００１４】
請求項１及び２記載の考案にあっては、使用時にあっては、上記第一フレーム部を机等の載置面上に置き、上記第二フレーム部を回動させて上記第一フレーム部から離間した状態で静止させることにより、上記第二フレーム部を第一フレーム部上に立設し、上記第一レンズ部及び第二レンズ部を上記第二フレーム部から離間した状態位置にすることにより、展開状態でルーペとして使用することができ、また、非使用時には、上記第一レンズ部及び第二レンズ部を回動させて上記第二フレーム部に接合させた状態で、第二フレーム部を回動させ第一フレーム部と接合させることにより、収納状態にすることができることから、上記第一レンズ部及び第二レンズ部を第一フレーム部及び第二フレーム部内に収納した状態で保管、持ち運びを行うことができる。
【００１５】
その結果、請求項１及び２記載の考案にあっては、全ての構成部材が接合され、従来の折り畳み式ルーぺにおけるように対物レンズを別途、装着したり、もしくは取り外して保管する必要がないことから、収納性及び携帯性に富むと共に簡便に使用ができる折り畳み式ルーペを提供することができる。
【００１６】
また、上記第一レンズ部、第二レンズ部、第一レンズ部及び第二レンズ部が全て平面円形状に形成されていることから、従来の折り畳み式ルーペにおける支柱部のようなレンズ部とは異なる形状の部材は存在せず、全て同一の平面円形状に形成されていることから、よりコンパクトに折り畳んで保持、収納、搬送することができる。
さらに、請求項２記載の考案にあっては、上記第一フレーム部及び第二フレーム部はリング状に形成されていることから、折りたたんで、第一レンズ部及び第二レンズ部を第一フレーム部及び第二フレーム部内に収納した状態であっても、上記第一レンズ部及び第二レンズ部を利用して、コンパクトなルーペとし簡便に使用することができる。
【００１７】
請求項３記載の考案にあっては、上記第一フレーム部を台座部とし、第二のフレーム部を回動させて離間させ上記第一のフレーム上に立設させた場合には、上記第二ヒンジ部は第二のフレーム部の上端部に配置される。
【００１８】
従って、上記第一レンズ部及び第二レンズ部を上記第二フレーム部の上端部において第二フレームから離間させた状態にすることができることから、請求項１及び２記載の考案の効果に加えて、収納状態から容易かつ迅速に、使用状態へ変換することができる折り畳み式ルーペを提供することができる。
【００１９】
請求項４記載の考案にあっては、上記第一フレーム部及び第二フレーム部は同一径寸法に形成されると共に、上記第一レンズ部及び上記第二レンズ部は同一径寸法に形成され、上記第一レンズ部及び第二レンズ部は、上記第一フレーム部及び第二フレーム部を接合した場合には、上記第一フレーム部及び第二フレーム部の上記収納部内に収納されることから、収納状態で折り畳んだ場合には、円盤状で保持、運搬しやすい形状とすることができる。
【００２０】
請求項５記載の考案にあっては、上記第一レンズ部のみで観察対象物を観ることもでき、また、上記第一レンズ部と上記第二レンズ部を重ねた状態で観察対象物を観ることもできることから、請求項１及び２記載の効果に加えて、観察対象物に応じて、倍率を容易に変更することができる折り畳み式ルーペを提供することができる。
【図面の簡単な説明】
【００２１】
【図１】本考案に係る折り畳み式ルーペの一実施の形態であって、第一レンズ部を接眼レンズとして設定した状態を示す斜視図である。
【図２】本考案に係る折り畳み式ルーペの一実施の形態であって、第一レンズ部及び第二レンズ部を接眼レンズとして設定した状態を示す斜視図である。
【図３】本考案に係る折り畳み式ルーペの一実施の形態であって、収納状態を示す斜視図である。
【考案を実施するための最良の形態】
【００２２】
以下、添付図面に示す実施の形態に基づき、本考案を詳細に説明する。
図１に示すように、本実施の形態に係る折り畳み式ルーペ１０は、所定の厚さ寸法を有する円環状に形成された第一フレーム部１１と、展開状態では上記第一フレーム部１１から離間した状態で静止しうるように回動可能に固定されると共に、閉止状態では上記第一フレーム部１１に接合しうる、上記同様に所定の厚さ寸法の円環状に形成された第二フレーム部１２とを備えている。
【００２３】
上記第一フレーム部１１及び第二フレーム部１２は同一の径寸法に形成されている。上記第二フレーム部１２は、第一フレーム部１１に回動可能に接合されて、使用時には、第二フレーム部１２から離間した状態で静止しうるように回動可能に固定されている。
【００２４】
また、上記第二フレーム部１２には、第二フレーム部１２に回動可能に固定された第一レンズ部１３及び第二レンズ部１４が設けられている。
上記第一レンズ部１３及び第二レンズ部１４は、第二フレーム部１２に回動可能に固定され、非使用時に上記第一フレーム部１１及び上記第二フレーム部１２が接合した場合には、上記第一フレーム部１１及び第二フレーム部１２内に収納されると共に、使用時には上記第二フレーム部１２から離間した状態に静止させうるように構成されている。
【００２５】
上記第一フレーム部１１及び上記第二フレーム部１２はリング状に形成され、上記第一レンズ部１３及び上記第二レンズ部１４は、いずれも平面円形に形成され、上記第一フレーム部１１及び第二フレーム部１２は、上記第一レンズ部１３及び第二レンズ部１４を収納しうる収納部１５、１５を有している。
【００２６】
上記収納部１５は、所定の厚さ寸法のリング状に形成された第一フレーム部１１及び第二フレーム部１２の内部に形成され、外側面部Ａと、底面部Ｂと、内側面部Ｃとにより形成された空隙からなる。
【００２７】
上記第二フレーム部１２は上記第一フレーム部１１の周縁部に設けられた第一ヒンジ部１６を介して第一フレーム部１１に回動可能に固定されている。
【００２８】
上記第一レンズ部１３及び上記第二レンズ部１４は、上記第一ヒンジ部１６に径方向において対向する部位に設けられた第二ヒンジ部１７により上記第二フレーム部１２に固定されている。
【００２９】
上記第一ヒンジ部１６及び第二ヒンジ部１７は、スプリングを内蔵し、所定の回動位置において停止させうるように構成されている。
【００３０】
上記のように、第一フレーム部１１及び第二フレーム部１２は同一径寸法に形成されると共に、上記第一レンズ部１３及び上記第二レンズ部１４は同一径寸法に形成されている。上記第一レンズ部１３及び第二レンズ部１４は、リング部１３ａ、１４ａと、リング部１３ａ、１４ａ内にはめ込まれたレンズ本体１３ｂ、１４ｂとにより構成されている。
【００３１】
上記第一レンズ部１３及び第二レンズ部１４は、上記のように、いずれも第二ヒンジ部１７により第二フレーム部１２に固定されており、収納状態では上記第二レンズ部１４は上記第二フレーム部１２の収納部１５内に収納されると共に、上記第一レンズ部１３は収納状態では上記第二レンズ部１４の上方へ突出することとなるが、上位第二フレーム部１２に対して第一フレーム部１１をを回動させて接合させた場合に、上記第一レンズ部１３は上記第一フレーム部１１の収納部１５内に収納されるように構成されている。
【００３２】
上記第一レンズ部１３及び上記第二レンズ部１４は、互いに接合した状態で上記第二フレーム部１２から離間した状態で静止できるように固定されている。また、上記第二レンズ部１４を上記第二フレーム部１２内に収納し、第一レンズ部１３のみを上記第二フレーム部１２から離間した状態で静止させることができるようにも構成されている。  
【００３３】
以下、本実施の形態に係るルーペ１０の作用について説明する。
本実施の形態に係るルーペ１０は、閉止状態では図３に示すように、第一フレーム部１１及び第二フレーム部１２は全域に亘って接合され、内部に第一レンズ部１３及び第二レンズ部１４が収納されている。
【００３４】
このルーペ１０を使用する場合には、図２に示すように、第一フレーム部１１を机等の載置面上に置き、第二フレーム部１２を第一ヒンジ部１６を中心に回動させ、上記第二フレーム部１２を第一フレーム部１１から離間させ、上記第一フレーム部１１に対して略直角の状態に立ち上げて静止させる。
【００３５】
その後、上記第二フレーム部１２と共に立ち上がっている第一レンズ部１３及び第二レンズ部１４の内、第一レンズ部１３を、上記第二ヒンジ部１７を中心として回動させ、上記第二フレーム部１２に対して直角の状態となるように配置して静止させることにより、上記第一レンズ部１３を接眼レンズとするルーペを形成することができる。
【００３６】
さらに、倍率を上げたい場合には、図２に示すように、上記第二レンズ部１４を同様に回動させて上記第一レンズ部１３の裏面側に接合させる。このようにした場合には、使用者は第一レンズ部１３及び第二レンズ部１４の双方を通して被観察物を倍率を上げてより拡大して見ることができる。
【００３７】
使用後、収納又は携帯する場合には、上記第一レンズ部１３及び第二レンズ部１４を上記第二ヒンジ部１２を中心に回動させて第二レンズ部１４を上記第二フレーム部１２の収納部１５内に収納させ、次に、上記第一フレーム部１１を第一ヒンジ部１６を中心に回動させて第二フレーム部１２へ接合させ、第一フレーム部１１の収納部１５内に上記第一レンズ部１３を収納させる。
【００３８】
これにより、図３に示すように、全体として薄型円盤状に形成することができるため、従来の折り畳み式ルーペに比して、より容易に保管、保持、搬送することができる。
さらに、本実施の形態に係る折畳み式ルーペ１０にあっては、上記第一フレーム部１１及び第二フレーム部１２はリング状に形成されていることから、折りたたんで、第一レンズ部１３及び第二レンズ部１４を第一フレーム部１１及び第二フレーム部１２内に収納した状態であっても、上記第一レンズ部１３及び第二レンズ部１４を利用してコンパクトなルーペとして簡便に使用することができる。
【符号の説明】
【００３９】
１０  ルーペ
１１  第一フレーム部
１２  第二フレーム部
１３  第一レンズ部
１４  第二レンズ部
１５  収納部
１６  第一ヒンジ部
１７  第二ヒンジ部
Ａ  外側面部
Ｂ  底面部
Ｃ  内側面部
【図１】
0003161163.tif 000003
【図２】
0003161163.tif 000004
【図３】
0003161163.tif 000005